(57)【要約】【課題】注出口栓の開封刃により注出穴を封止する封止層を容易に且つ確実に切断できるとともに、封止層の切断開封片の容器内部への落下を防止し、且つ切断開封片が注出穴を塞ぐことのない注出口栓付液体紙容器を提供する。【解決手段】紙基材３に設けた注出穴１０を封止層１１で封止した切断開封用注出穴部１２を備えた頂部パネル９に、切断開封用注出穴部１２上に位置して回転式開封刃１３を内蔵するスパウト１４とキャップ１５からなる注出口栓１６を取り付けてなる注出口栓付液体紙容器において、切断開封用注出穴部１２に、封止層１１が注出口栓１６の回転式開封刃１３により切断され開封される際に生じる封止層１１の切断開封片１１ａの一部が切断されず且つヒンジ機能を持たせる切断開封片落下防止機構２６を備えた。【選択図】  図１
2004345644.tif 000002
【特許請求の範囲】
【請求項１】
紙基材に設けた注出穴を封止層で封止した切断開封用注出穴部を備えた頂部パネルに、前記切断開封用注出穴部上に位置して回転式開封刃を内蔵するスパウトとキャップからなる注出口栓を取り付けてなる注出口栓付液体紙容器において、前記切断開封用注出穴部に、前記封止層が前記注出口栓の回転式開封刃により切断され開封される際に生じる切断開封片の一部を切り残し、且つヒンジ機能を持たせる切断開封片落下防止機構を備えたことを特徴とする注出口栓付液体紙容器。
【請求項２】
前記切断開封用注出穴部に備えた切断開封片落下防止機構は、前記紙基材に設けた注出穴の周囲の一部に、注出穴内に突出する突起部を形成したものからなることを特徴とする請求項１に記載の注出口栓付液体紙容器。
【請求項３】
前記突起部の基部に、突起部の基部の両端付近を結んだ線状の全部或いは一部に紙基材を貫通するか或いは半切断の切り込み又は罫線でヒンジ部を形成したことを特徴とする請求項２に記載の注出口栓付液体紙容器。
【請求項４】
前記頂部パネルに備えた切断開封用注出穴部上に取り付けられる注出口栓の回転式開封刃による切断線の半径は、前記紙基材に設けた注出穴の半径より小さく且つ注出穴内に突出する突起部の先端より大きいことを特徴とする請求項２又は３に記載の注出口栓付液体紙容器。
【発明の詳細な説明】
【０００１】
【発明の属する技術分野】
本発明は、紙基材に設けた注出穴を封止層で封止した切断開封用注出穴部を備えた頂部パネルに、前記切断開封用注出穴部上に位置して回転式開封刃を内蔵するスパウトとキャップからなる注出口栓を取り付け、前記回転式開封刃により前記注出穴を封止している封止層を切断して開封する注出口栓付液体紙容器に関するものである。
【０００２】
【従来の技術】
従来から、紙基材に設けた注出穴を封止層で封止した切断開封用注出穴部を備えた頂部パネルに、前記切断開封用注出穴部上に位置して開封刃を内蔵するスパウトとキャップからなる注出口栓を取り付け、前記開封刃により前記注出穴を封止している封止層を切断して開封する注出口栓付液体紙容器が、液体の注出のし易さから多く使用されている。
【０００３】
かかる注出口栓付液体紙容器として、切断開封用注出穴部の封止層が前記注出口栓の開封刃により切断され開封される際に生じる封止層の切断開封片が容器内部に落下することを防止する切断開封片落下防止機構を備えたものが多く提案されている。
【０００４】
前記切断開封片落下防止機構にあっては、その殆どが注出口栓に備えられており、その１つとして、注出口栓のスパウトに内蔵される開封刃が回転式となっており、切断開封片落下防止機構として前記開封刃の封止層を切断する回転角度が３６０度未満になるように規制する回転規制部を設け、切断開封片の一部に未切断部を残して切断できるようにした注出口栓を取り付けた注出口栓付液体紙容器が知られている（例えば、特許文献１参照）。
【０００５】
また、他の注出口栓付液体紙容器として、注出口栓のスパウトに内蔵される開封刃が押し込み式となっており、切断開封片落下防止機構として前記開封刃の一部に刃の無い部分を設け、切断開封片の一部に未切断部を残して切断できるようにした注出口栓を取り付けたものが知られている（例えば、特許文献２参照）。
【０００６】
【特許文献１】
ＷＯ０３／００２４１９号公報
【０００７】
【特許文献２】
特開平１０−１９４２７６号公報
【０００８】
【発明が解決しようとする課題】
前記開封刃を内蔵するスパウトとキャップからなる注出口栓を取り付けてなる注出口栓付液体紙容器の多くは、比較的保存期間の短い内容物を収容する液体紙容器として採用されているゲーブルトップ型液体紙容器であるが、近年、注出のし易さから、特に保存期間の長い内容物を収容する、アセプティック（無菌）充填タイプのブリック型液体紙容器（以下アセプティックブリック型液体紙容器という）にも開封刃を内蔵するスパウトとキャップからなる注出口栓を取り付けたものが求められるようになってきた。
【０００９】
しかしながら、保存期間の長い内容物を収容する液体紙容器は、内容物の長期保存性を保つために保存期間の短い内容物を収容する液体紙容器に比べ封止層が厚くなり、その結果、開封刃の封止層を切断する回転角度が３６０度未満になるように規制されている前記特許文献１に記載されている注出口栓のスパウトに内蔵される開封刃では切断性が十分でなく切断し難いといった問題があり、また、切断性が回転式の開封刃よりも劣るとされる押し込み式の開封刃となっている特許文献２に記載されている注出口栓のスパウトに内蔵される開封刃では一層切断し難いといった問題があった。
【００１０】
これを解決するために、実験の結果、開封刃として、押し込み式の開封刃よりも切断開封性の高い回転式の開封刃を採用し、且つ前記開封刃の開封片を切断する回転角度が３６０度以上となるようにすればよいことが判明したが、この結果、開封刃により切断開封される際に生じる切断開封片が完全に切断され容器内部に落下し、内容物に異物として混入するといった問題が生じる。
【００１１】
本発明の目的は、紙基材に設けた注出穴を封止層で封止した切断開封用注出穴部の開封に際し、注出口栓の開封刃により封止層を容易に且つ確実に切断できるとともに、切断され開封される際に生じる封止層の切断開封片の一部に未切断部を残し切断開封片の容器内部への落下を防止し、且つ切断開封片が注出穴を塞ぐことのない注出口栓付液体紙容器を提供することにある。
【００１２】
【課題を解決するための手段】
上記の目的を達成するために請求項１に記載の発明は、紙基材に設けた注出穴を封止層で封止した切断開封用注出穴部を備えた頂部パネルに、前記切断開封用注出穴部上に位置して回転式開封刃を内蔵するスパウトとキャップからなる注出口栓を取り付けてなる注出口栓付液体紙容器において、前記切断開封用注出穴部に、前記封止層が前記注出口栓の回転式開封刃により切断され開封される際に生じる切断開封片の一部を切り残し、且つヒンジ機能を持たせる切断開封片落下防止機構を備えたことを特徴とする。
【００１３】
かかる構成から、切断開封用注出穴部の開封に際し、前記注出口栓の回転式開封刃を３６０度以上回転させて切断することにより、前記封止層が厚くても、容易に且つ確実に切断し開封することができ、そして、前記切断開封用注出穴部には、前記封止層が前記注出口栓の回転式開封刃により切断され開封される際に生じる切断開封片の一部を切り残し、且つヒンジ機能を持たせる切断開封片落下防止機構を備えているので、切断開封片の容器内部への落下が防止され、且つ未切断部がヒンジとなって前記切断開封片が回転式開封刃により押し曲げられるので、切断開封片によって注出穴が塞がれるといったことが防止される。
【００１４】
更には、前記切断開封片落下防止機構は紙容器側に備えられており、注出口栓には切断開封片落下防止機構の構成を必要としないので、注出口栓の構成が簡単となり、その分製造が容易となりコストダウンを図ることができる。
【００１５】
請求項２に記載の発明は、請求項１に記載の、前記切断開封用注出穴部に備えた切断開封片落下防止機構は、前記紙基材に設けた注出穴の周囲の一部に、注出穴内に突出する突起部を形成したものからなることを特徴とする。
【００１６】
かかる構成から、切断開封用注出穴部の開封に際し、前記回転する回転式開封刃が前記紙基材に設けた注出穴の周囲の一部から注出穴内に突出する突起部に乗り上げ、これにより当部が未切断部となって残ると共に押し曲げられるので、前記回転式開封刃により切断される封止層の切断開封片の容器内部への落下が防止され、且つ突起部に連なっている切断開封片は曲げられた状態となって、切断開封片により注出口が塞がれるといったことが防止される。更には、前記切断開封片落下防止機構の構造が簡単なので、製造が容易となり、これによりコストダウンを図ることができる。
【００１７】
請求項３に記載の発明は、請求項２に記載の、前記突起部の基部に、突起部の基部の両端付近を結んだ線状の全部或いは一部に紙基材を貫通するか或いは半切断の切り込み又は罫線でヒンジ部を形成したことを特徴とする。
【００１８】
かかる構成から、前記突起部の基部にヒンジ部を形成したので、前記回転式開封刃が突起部に乗り上がる際に、前記突起部がヒンジ部から容易に曲がり、これにより回転式開封刃が突起部上面を滑り突起部にかかる力が分散するので、突起部を傷めるおそれがなく、封止層の切断開封片の一部に未切断部を確実に残すことができる。また、突起部は上面に乗り上げた回転式開封刃により、その基部に形成されたヒンジ部から容易に押し曲げられるので、突起部に連なっている切断開封片も曲げられた状態となり、切断開封片により注出穴が塞がれるといったことが防止される。
【００１９】
請求項４に記載の発明は、請求項２又は３に記載の、前記頂部パネルに備えた切断開封用注出穴部上に取り付けられる注出口栓の回転式開封刃による切断線の半径は、前記紙基材に設けた注出穴の半径より小さく且つ注出穴内に突出する突起部の先端より大きいことを特徴とする。
【００２０】
かかる構成から、切断開封用注出穴部の開封に際し、前記回転する回転式開封刃が前記突起部に確実に乗り上がることができ、これにより封止層の切断開封片の一部に未切断部を確実に残すことができる。
【００２１】
【発明の実施の形態】
図１乃至図８は本発明に係る注出口栓付液体紙容器の実施の形態の一例を示したもので、図１は斜視図、図２は頂部パネルに備えた切断開封用注出穴部を示す拡大平面図、図３は図２のＡ−Ａ線断面図、図４は切断開封用注出穴部に取り付けた注出口栓を示す縦断面図、図５は頂部パネルに備えた切断開封用注出穴部と注出口栓を示す説明図、図６（ａ）、（ｂ）、（ｃ）、（ｄ）、図７（ａ）、（ｂ）、（ｃ）、（ｄ）は本例の紙基材に設けた注出穴の形状を示す説明図、図８は切断開封用注出穴部の開封状態を示す縦断面説明図である。
【００２２】
図面において、１は容器本体であり、この容器本体１は公知の液体用紙容器とかわるものではない。本例では、ブリック型の容器となっており、図３で図示される容器素材２で成型されている。
【００２３】
更に詳細には、図３に示すように、紙基材３の表面には、低密度ポリエチレンよりなる熱可塑性樹脂層４が積層され、裏面には、低密度ポリエチレンよりなる熱可塑性樹脂層５、バリアー層６，熱接着性樹脂よりなる熱可塑性樹脂層７、低密度ポリエチレンよりなる熱可塑性樹脂層８が紙基材３の裏面側からこの順で積層されている。前記バリアー層６として、本例ではアルミ箔が積層されているが、アルミ箔の他、バリアー蒸着層、バリアー塗工層、バリアー性樹脂層等も用いることができる。
【００２４】
前記容器素材２で成型された容器本体１の頂部パネル９には、紙基材３に設けた注出穴１０を封止層１１で封止した切断開封用注出穴部１２が備えられている。前記切断開封用注出穴部１２を構成する紙基材３に設けた注出穴１０を封止する封止層１１は、本例では、前記紙基材３の表裏面に積層され、容器素材２を構成している、低密度ポリエチレンよりなる熱可塑性樹脂層４、低密度ポリエチレンよりなる熱可塑性樹脂層５、バリアー層６，熱接着性樹脂よりなる熱可塑性樹脂層７、低密度ポリエチレンよりなる熱可塑性樹脂層８により構成されているが、例えば、積層シートを注出穴裏面に接着等することにより設けても構わない。
【００２５】
図３では、紙基材３に設けた注出穴１０の内部で、表面側に積層されている熱可塑性樹脂層４と裏面側に積層されている熱可塑性樹脂層５、バリアー層６，熱可塑性樹脂層７、熱可塑性樹脂層８との間に空間があるが、これは図面を分かり易くするために便宜上空けたものであって、実際は、表面側に積層されている熱可塑性樹脂層４と裏面側に積層されている熱可塑性樹脂層５、バリアー層６，熱可塑性樹脂層７、熱可塑性樹脂層８とは注出穴１０の内部で一体に積層された状態となって封止層１１を構成している。
【００２６】
前記頂部パネル９には、切断開封用注出穴部１２上に位置して回転式開封刃１３を内蔵するスパウト１４とキャップ１５からなる注出口栓１６が取り付けられている。前記注出口栓１６は、本例では、前記スパウト１４の内外周面にそれぞれ逆方向に傾斜するネジ部１７，１８を有しており、そして前記キャップ１５はその内周面に前記ネジ部１７に螺合するネジ部１９を有しており、前記スパウト１４の外周に螺着している。
【００２７】
また、前記回転式開封刃１３は、少なくとも前記紙基材３に設けた注出穴１０の径よりも小径に設定されている筒状体の下端に櫛刃状の刃部２０を有し、また外周面には、前記スパウト１４の内周面のネジ部１８に螺合するネジ部２１を有しており、前記スパウト１４の内周に螺着している。そして、前記回転式開封刃１３の内周面には、軸方向にキー溝２２が形成され、前記キャップ１５の天板２３の内面には前記回転式開封刃１３の内周面に形成されたキー溝２２に軸方向に摺動自在に係止し、キャップ１５の回転を回転式開封刃１３に伝達するキー２４が立設されている。
【００２８】
そして、前記キャップ１５と回転式開封刃１３にあっては、キャップ１５がスパウト１４に螺着されているとき、回転式開封刃１３はその刃部２０までもがスパウト１４内に位置しており（図４参照）、キャップ１５をスパウト１４から外す方向に回したとき、前記回転式開封刃１３が回転してキャップ１５と反対方向に移動し、キャップ１５がスパウト１４から外れたとき、前記回転式開封刃１３の刃部２０がスパウト１４の下端から外部へ十分に突出するように設定されている（図８参照）。
【００２９】
前記スパウト１４の下端外周にはフランジ部２５が形成され、該フランジ部２５を切断開封用注出穴部１２の上に位置して融着することにより注出口栓１６を頂部パネル９に取り付けている。このとき、前記紙基材３に設けた注出穴１０と筒状体からなる回転式開封刃１３が同心上に位置するように取り付けられている。
【００３０】
前記注出口栓１６の回転式開封刃１３はポリプロピレンからなる熱可塑性樹脂、スパウト１４は低密度ポリエチレンからなる熱可塑性樹脂、キャップ１５は高密度ポリエチレンからなる熱可塑性樹脂で構成されている。
【００３１】
前記注出口栓１６が取り付けられる前記切断開封用注出穴部１２には、前記封止層１１が前記注出口栓１６の回転式開封刃１３により切断され開封される際に生じる切断開封片１１ａの一部を切り残し、且つヒンジ機能を持たせる切断開封片落下防止機構２６を備えている。
【００３２】
前記切断開封用注出穴部１２に備えた切断開封片落下防止機構２６は、本例では、前記紙基材３に設けた注出穴１０の周囲の一部に、注出穴１０内に突出する突起部２７を形成し、この突起部２７をもって切断開封片落下防止機構２６としている。
【００３３】
前記突起部２７にあっては、その幅Ｗ及び突出長Ｌは、切断された切断開封片１１ａによる液体注出の開口を十分に確保するとともに、回転式開封刃１３により切断されず且つ乗り上げる回転式開封刃１３により容易に曲がり、回転式開封刃が突起部上面を滑り突起部にかかる力を分散させ切断させないようにするように設定されている。
【００３４】
また、この突起部２７が形成されている注出穴１０内に位置する前記注出口栓１６の回転式開封刃１３による切断線Ｃの半径は、前記注出穴１０の半径より小さく且つ注出穴１０内に突出する突起部２７の先端より大きいことを要する。特に、回転式開封刃１３による切断線Ｃが、注出穴１０内に突出する突起部２７の突起方向中央付近に当たることが好ましく、前記切断線Ｃが、注出穴１０内に突出する突起部２７の基部付近に当たると、切断力が強く作用し、突起部２７が基部から切断されてしまう場合があり、また、前記切断線Ｃが、注出穴１０内に突出する突起部２７の先端付近に当たると、回転式開封刃１３が突起部２７に乗り上げずその先端を滑り、封止層を切断してしまい、切断開封片落下防止機構２６として機能しない場合がある。
【００３５】
本例では、突起部２７は、その幅Ｗとして基部の両端付近を結んだ長さが５ｍｍ、突出長Ｌは注出穴１０の周囲から５ｍｍの長さとなっており、回転式開封刃１３の切断線Ｃが突起部２７の、基部から約２ｍｍ前後の位置に当たるように設定されている（図５参照）。
【００３６】
また、前記突起部２７にあっては、切断された切断開封片１１ａによる液体注出の開口を十分に確保するとともに、回転式開封刃１３により切断されず且つ乗り上げる回転式開封刃１３により曲がるようにするヒンジ機能を持つ限り、その形状は特に限定されるものではなく、例えば、図６（ａ）に示す四角形、（ｂ）に示すＶ形、（ｃ）に示す台形でもよく、また、（ｄ）に示すように複数であってもよい。
【００３７】
また、前記突起部２７の基部には、図７に示すように、突起部２７を曲げ易くするために、突起部２７の基部の両端付近を結んだ線状の全部或いは一部に紙基材３を貫通するか或いは半切断の切り込み又は罫線でヒンジ部２８を形成してもよい。本例では、突起部２７の基部にヒンジ部２８が形成されている。
【００３８】
上記のように構成された注出口栓付液体紙容器では、切断開封用注出穴部１２の開封に際し、前記注出口栓１６のキャップ１５を回転させると、キャップ１５の回転に伴って回転式開封刃１３が回転しながら降下し、切断開封用注出穴部１２を構成する紙基材３に設けた注出穴１０を封止している封止層１１を切断する。この封止層１１の切断にあっては、前記回転式開封刃１３が回転しながら、しかも３６０度以上の回転によりその刃部２０で切断するので、前記注出穴１０を封止している封止層１１が厚くても、容易に且つ確実に切断し開封することができ、そして、前記切断開封用注出穴部１２には、前記封止層１１が前記注出口栓１６の回転式開封刃１３により切断され開封される際に生じる切断開封片１１ａの一部を切り残し、且つヒンジ機能を持たせる切断開封片落下防止機構２６を備えているので、切断開封片１１ａの容器本体１内部への落下が防止されると共に、未切断部がヒンジとなって前記切断開封片１１ａが回転式開封刃１３により押し曲げられるので、切断開封片１１ａによって注出穴１０が塞がれるといったことが防止される。
【００３９】
本例では、前記切断開封用注出穴部１２に備えた切断開封片落下防止機構２６として、前記紙基材３に設けた注出穴１０の周囲の一部に、注出穴１０内に突出する突起部２７を形成し、該突起部２７の基部に、突起部２７の基部の両端付近を結んだ線状の全部或いは一部に紙基材を貫通するか或いは半切断の切り込み又は罫線でヒンジ部２８を形成したので、切断開封用注出穴部１２の開封に際し、前記回転する回転式開封刃１３が前記突起部２７に乗り上げ、これにより当部が未切断部となって残り、前記回転式開封刃１３により切断される封止層１１の切断開封片１１ａの容器本体１内部への落下が確実に防止される。
【００４０】
そして、前記回転式開封刃１３が突起部２７に乗り上がる際に、前記突起部２７がヒンジ部２８から容易に曲がり、これにより回転式開封刃１３が突起部２７の上面を滑り突起部２７にかかる切断力が分散するので、突起部２７を傷めるおそれがなく、封止層１１の切断開封片１１ａの一部に未切断部を確実に残すことができる。また、突起部２７は上面に乗り上げた回転式開封刃１３により、その基部に形成されたヒンジ部２８から押し曲げられるので、突起部２７に連なっている切断開封片１１ａも曲げられた状態となり、切断開封片１１ａにより注出穴１０が塞がれるといったことが防止される。
【００４１】
また、本例では、注出口栓１６の回転式開封刃１３による切断線Ｃの半径が、前記注出穴１０の半径より小さく且つ突起部２７の先端より大きく設定されているので、切断開封用注出穴部１２の開封に際し、前記回転する回転式開封刃１３が前記突起部２７に確実に乗り上がることができ、これにより封止層１１の切断開封片１１ａの一部に未切断部を確実に残すことができるものとなる。
【００４２】
【発明の効果】
以上のように本発明によれば、紙基材に設けた注出穴を封止層で封止した切断開封用注出穴部を備えた頂部パネルに、前記切断開封用注出穴部上に位置して回転式開封刃を内蔵するスパウトとキャップからなる注出口栓を取り付けてなる注出口栓付液体紙容器において、前記切断開封用注出穴部に、前記封止層が前記注出口栓の回転式開封刃により切断され開封される際に生じる切断開封片の一部を切り残し、且つヒンジ機能を持たせる切断開封片落下防止機構を備えたので、切断開封用注出穴部の開封に際し、前記注出口栓の回転式開封刃を３６０度以上回転させて切断することにより、前記封止層が厚くても、容易に且つ確実に切断し開封することができ、そして、前記切断開封用注出穴部には、前記封止層が前記注出口栓の回転式開封刃により切断され開封される際に生じる切断開封片の一部を切り残し、且つヒンジ機能を持たせる切断開封片落下防止機構を備えているので、切断開封片の容器内部への落下が防止され、且つ未切断部がヒンジとなって前記切断開封片が回転式開封刃により押し曲げられるので、切断開封片によって注出穴が塞がれるといったことを防止することができる。更には、前記切断開封片落下防止機構は紙容器側に備えられており、注出口栓には切断開封片落下防止機構の構成を必要としないので、注出口栓の構成が簡単となり、その分製造が容易となりコストダウンを図ることができる。
【図面の簡単な説明】
【図１】本発明に係る注出口栓付液体紙容器の実施の形態の一例を示した斜視図である。
【図２】頂部パネルに備えた切断開封用注出穴部を示す拡大平面図である。
【図３】図２のＡ−Ａ線断面図である。
【図４】切断開封用注出穴部に取り付けた注出口栓を示す縦断面図である。
【図５】頂部パネルに備えた切断開封用注出穴部と注出口栓を示す説明図である。
【図６】（ａ）、（ｂ）、（ｃ）、（ｄ）は本例の紙基材に設けた注出穴の形状を示す説明図である。
【図７】（ａ）、（ｂ）、（ｃ）、（ｄ）は本例の紙基材に設けた注出穴の形状の他例を示す説明図である。
【図８】切断開封用注出穴部の開封状態を示す縦断面説明図である。
【符号の説明】
１  容器本体
２  容器素材
３  紙基材
４，５  低密度ポリエチレンよりなる熱可塑性樹脂層
６  バリアー層
７  熱接着性樹脂よりなる熱可塑性樹脂層
８  低密度ポリエチレンよりなる熱可塑性樹脂層
９  頂部パネル
１０  注出穴
１１  封止層
１１ａ  切断開封片
１２  切断開封用注出穴部
１３  回転式開封刃
１４  スパウト
１５  キャップ
１６  注出口栓
１７，１８，１９  ネジ部
２０  刃部
２１  ネジ部
２２  キー溝
２３  天板
２４  キー
２５  フランジ部
２６  切断開封片落下防止機構
２７  突起部
２８  ヒンジ部
【図１】
2004345644.tif 000003
【図２】
2004345644.tif 000004
【図３】
2004345644.tif 000005
【図４】
2004345644.tif 000006
【図５】
2004345644.tif 000007
【図６】
2004345644.tif 000008
【図７】
2004345644.tif 000009
【図８】
2004345644.tif 000010